【手続補正書】
【提出日】平成19年7月19日(2007.7.19)
【手続補正１】
【補正対象書類名】明細書
【補正対象項目名】発明の名称
【補正方法】変更
【補正の内容】
【発明の名称】インクジェット記録装置
【手続補正２】
【補正対象書類名】明細書
【補正対象項目名】特許請求の範囲
【補正方法】変更
【補正の内容】
【特許請求の範囲】
【請求項１】    記録手段から被記録材へインクを吐出して記録を行うインクジェット記録装置において、
インクを吐出する吐出口が設けられた吐出口面に当接して前記吐出口をキャッピングするためのキャップと、該キャップ内を大気に連通させるための連通弁と、前記キャップが前記吐出口をキャッピングし前記連通弁が閉じているときに前記吐出口から吸引を行う吸引手段と、前記キャップと前記連通弁と前記吸引手段とを駆動する共通の駆動源と、を有する回復ユニットを備え、
該回復ユニットは、前記吐出口面に対する前記キャップの当接／離間と前記連通弁の開／閉とを前記駆動源の一方向への駆動で行い、前記吸引手段による吸引を前記駆動源の他方向への駆動で行い、前記駆動源が前記一方向へ駆動するときに、前記連通弁の開／閉に関わる複数のモードからいずれかを選択可能であることを特徴とするインクジェット記録装置。
【請求項２】    前記キャップの当接／離間と前記連通弁の開／閉との両方を一つのカムにより駆動し、前記吸引手段をある時間一定位置に停止させている間に前記複数のモードを選択可能にすることを特徴とする請求項１に記載のインクジェット記録装置。
【請求項３】    前記駆動源と前記吸引手段を連結するギアの側面に複数のリブにより空間が設けられ、該空間に係合し前記ギアが所定角度回転した後に前記吸引手段へ駆動力を伝達する伝達手段を有することを特徴とする請求項１又は２に記載のインクジェット記録装置。
【請求項４】    前記駆動源の一方向への駆動により前記キャップの当接／離間及び前記連通弁の開／閉を駆動するカムに駆動力を伝達し、前記駆動源の他方向への駆動により該カムへの駆動力の伝達を解除するワンウエイ駆動伝達手段を有することを特徴とする請求項１〜３のいずれかに記載のインクジェット記録装置。
【請求項５】    前記吸引手段は、前記駆動源により回転駆動を得て記録手段の吐出口に通じるチューブを加圧コロで変形させることにより前記吐出口に負圧を発生させて該吐出口よりインクを排出させるチューブポンプであり、逆方向に回転駆動されたとき前記加圧コロがチューブ加圧力を緩和する方向へ移動することを特徴とする請求項１〜４のいずれかに記載のインクジェット記録装置。
【請求項６】    前記吸引手段は、前記駆動源により回転駆動を得て記録手段の吐出口に通じるチューブを加圧コロで変形させることにより前記吐出口に負圧を発生させて該吐出口よりインクを排出させるチューブポンプであり、前記吸引手段により吸引回復を行う際に前記駆動源の一方向への駆動により前記連通弁を開放状態にし、他方向への駆動により前記加圧コロを前記チューブに押圧した後に前記複数のモードから選択して吸引動作を行うことを特徴とする請求項１〜５のいずれかに記載のインクジェット記録装置。
【請求項７】    前記記録手段がインクを吐出するために利用される熱エネルギーを発生する電気熱変換体を備えているインクジェット記録手段であることを特徴とする請求項１〜６のいずれかに記載のインクジェット記録装置。
【請求項８】    前記記録手段は前記電気熱変換体が発生する熱エネルギーによりインクに生じる膜沸騰を利用して吐出口よりインクを吐出させることを特徴とする請求項７に記載のインクジェット記録装置。
【手続補正３】
【補正対象書類名】明細書
【補正対象項目名】０００１
【補正方法】変更
【補正の内容】
【０００１】
【発明の属する技術分野】
本発明は記録手段から被記録材へインクを吐出して記録を行うインクジェット記録装置に関する。
【手続補正４】
【補正対象書類名】明細書
【補正対象項目名】０００８
【補正方法】変更
【補正の内容】
【０００８】
本発明はこのような技術的課題に鑑みてなされたものであり、本発明は、回復装置内に持つ一つの駆動源によりインクジェット記録装置の記録手段のメインテナンスに係わる回復装置（回復ユニット）の全ての動作を駆動制御させ、他の駆動源からの駆動伝達切換機構に依存することなく安定的にメインテナンス動作を行えるインクジェット記録装置を提供しようとするものである。
また、本発明は、回復動作を行う上で他の駆動源からの伝達切換機構を有しない回復装置内完結型ユニットを実現することで、省スペース型のインクジェット記録装置に容易に搭載可能な（発展性のある）回復ユニットを提供することである。
【手続補正５】
【補正対象書類名】明細書
【補正対象項目名】０００９
【補正方法】変更
【補正の内容】
【０００９】
すなわち、本発明の目的は、他の駆動源からの駆動力に依存することなく、回復ユニット内の一つの駆動源により複数の吸引回復モードを選択して行うことができ、また、吸引回復終了後にキャップが吐出口面から十分退避するまで吸引手段の逆回転による正圧をかけるなどの従来の処理操作を不要にすることで、吸引回復動作中にキャップを吐出口面に当接した状態から動かす操作を無くすことができるインクジェット記録装置を提供することである。
【手続補正６】
【補正対象書類名】明細書
【補正対象項目名】００１０
【補正方法】変更
【補正の内容】
【００１０】
【課題を解決するための手段】
本発明は、上記目的を達成するため、記録手段から被記録材へインクを吐出して記録を行うインクジェット記録装置において、インクを吐出する吐出口が設けられた吐出口面に当接して前記吐出口をキャッピングするためのキャップと、該キャップ内を大気に連通させるための連通弁と、前記キャップが前記吐出口をキャッピングし前記連通弁が閉じているときに前記吐出口から吸引を行う吸引手段と、前記キャップと前記連通弁と前記吸引手段とを駆動する共通の駆動源と、を有する回復ユニットを備え、
該回復ユニットは、前記吐出口面に対する前記キャップの当接／離間と前記連通弁の開／閉とを前記駆動源の一方向への駆動で行い、前記吸引手段による吸引を前記駆動源の他方向への駆動で行い、前記駆動源が前記一方向へ駆動するときに、前記連通弁の開／閉に関わる複数のモードからいずれかを選択可能であることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００５４
【補正方法】変更
【補正の内容】
【００５４】
【発明の効果】
以上の説明から明らかなごとく、請求項１の発明によれば、記録手段から被記録材へインクを吐出して記録を行うインクジェット記録装置において、インクを吐出する吐出口が設けられた吐出口面に当接して前記吐出口をキャッピングするためのキャップと、該キャップ内を大気に連通させるための連通弁と、前記キャップが前記吐出口をキャッピングし前記連通弁が閉じているときに前記吐出口から吸引を行う吸引手段と、前記キャップと前記連通弁と前記吸引手段とを駆動する共通の駆動源と、を有する回復ユニットを備え、該回復ユニットは、前記吐出口面に対する前記キャップの当接／離間と前記連通弁の開／閉とを前記駆動源の一方向への駆動で行い、前記吸引手段による吸引を前記駆動源の他方向への駆動で行い、前記駆動源が前記一方向へ駆動するときに、前記連通弁の開／閉に関わる複数のモードからいずれかを選択可能である構成としたので、
他の駆動源からの駆動力に依存することなく、回復ユニット内の一つの駆動源により、キャッピング中にキャップ内に吸引手段の逆回転による正圧をかけるなどの操作を必要とせずに、複数の吸引回復モードを選択して行うことができ、また、吸引回復終了後にキャップが吐出口面から十分退避するまで吸引手段の逆回転による正圧をかけるなどの従来の処理操作を不要にすることで、吸引回復動作中にキャップを吐出口面に当接した状態から動かす操作を無くすことができるインクジェット記録装置が提供される。
【手続補正９】
【補正対象書類名】明細書
【補正対象項目名】００５５
【補正方法】削除
【補正の内容】
【手続補正１０】
【補正対象書類名】明細書
【補正対象項目名】００５６
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】変更
【補正の内容】
【００５９】
請求項２〜４の発明によれば、上記請求項１の構成に加えて、前記キャップの当接／離間と前記連通弁の開／閉との両方を一つのカムにより駆動し、前記吸引手段をある時間一定位置に停止させている間に前記複数のモードを選択可能にする構成、前記駆動源と前記吸引手段を連結するギアの側面に複数のリブにより空間が設けられ、該空間に係合し前記ギアが所定角度回転した後に前記吸引手段へ駆動力を伝達する伝達手段を有する構成、あるいは、前記駆動源の一方向への駆動により前記キャップの当接／離間及び前記連通弁の開／閉を駆動するカムに駆動力を伝達し、前記駆動源の他方向への駆動により該カムへの駆動力の伝達を解除するワンウエイ駆動伝達手段を有する構成としたので、一層効率よく上記請求項７による効果を達成し得る回復ユニットを備えたインクジェット記録装置が提供される。
【手続補正１４】
【補正対象書類名】明細書
【補正対象項目名】００６０
【補正方法】変更
【補正の内容】
【００６０】
請求項５の発明によれば、上記請求項１の構成に加えて、前記吸引手段は、前記駆動源により回転駆動を得て記録手段の吐出口に通じるチューブを加圧コロで変形させることにより前記吐出口に負圧を発生させて該吐出口よりインクを排出させるチューブポンプであり、逆方向に回転駆動されたとき前記加圧コロがチューブ加圧力を緩和する方向へ移動する構成としたので、
上記効果に加えて、回復動作中の吸引回復動作以外の回復動作を行う際に、チューブポンプの逆回転によりチューブ内の残留インクや空気を逆流させることがないため、容易に安定的な回復動作を実現できるインクジェット記録装置が提供される。
【手続補正１５】
【補正対象書類名】明細書
【補正対象項目名】００６１
【補正方法】変更
【補正の内容】
【００６１】
請求項６の発明によれば、上記請求項１の構成に加えて、前記吸引手段は、前記駆動源により回転駆動を得て記録手段の吐出口に通じるチューブを加圧コロで変形させることにより前記吐出口に負圧を発生させて該吐出口よりインクを排出させるチューブポンプであり、前記吸引手段により吸引回復を行う際に前記駆動源の一方向への駆動により前記連通弁を開放状態にし、他方向への駆動により前記加圧コロを前記チューブに押圧した後に前記複数のモードから選択して吸引動作を行う構成としたので、
上記効果に加えて、常に吸引前の加圧コロの位置をチューブに押圧した状態から吸引動作を開始できることから、加圧コロの位置検知用センサを必要とせずに、チューブポンプの回転量を規定するだけで、バラツキの少ないより安定的なインク吸引を実行することができるインクジェット記録装置が提供される。